(57)【要約】【課題】狭い場所でも扉を開閉することができ、さらに開けた扉が収納品の出し入れに邪魔にならないような扉開閉装置を提供すること。【解決手段】外扉体５を上下一対のヒンジ３０により本体２に対して回動可能に支持すると共に、この外扉体５の上下に設けた一対のガイド２０を介して内扉体６を外扉体５に対して平行移動可能に支持する。そして、内扉体６をガイド２０に沿って外扉体５と重なる位置に平行移動させた後に、ヒンジ３０により外扉体５を回転させて開くことができる。【選択図】　図２
2004052387.tif 000002
【特許請求の範囲】
【請求項１】
収納室の扉を開閉する扉開閉装置において、一側をヒンジにより本体に対して回転可能に支持され上下にガイドを有する外扉体と、この外扉体の前記ガイドに沿って平行移動可能な内扉体とを備えたことを特徴とする扉開閉装置。
【請求項２】
二つの前記外扉体及び二つの前記内扉体を備え、各内扉体を前記ガイドに沿って各外扉体と重なる位置に平行移動させた後に、前記各ヒンジにより各外扉体を回転させて開くようにしたことを特徴とする請求項１に記載の扉開閉装置。
【発明の詳細な説明】
【０００１】
【発明の属する技術分野】
本発明は、例えば、病院、学校、ホテル、宴会場等のように多数の人に食事を提供する施設において利用される配膳車のように、収納室の扉を開閉する扉開閉装置に関するものである。
【０００２】
【従来の技術】
従来技術の例としては、収納室の前面開口部に設けられた扉を、ヒンジを回転軸にしていわゆる観音開きの如くに回転させて開閉させるものがある。
【０００３】
また、収納室の前面の開口部に設けられた扉を、いわゆる引き戸形式に開閉するものがある。
【０００４】
【発明が解決しようとする課題】
しかし、前者の場合には、扉の軌跡が大きいために、狭い場所では操作しにくく、また通路等において開けた状態の扉が邪魔になる。特に、前面開口部が大きくて、扉が大きい場合には尚更である。
【０００５】
また、後者の場合には、扉は平行移動するので狭い場所での操作には問題がないが、開けた後に前面の開口部に扉が残り、開口部を全開することが出来ないので、収納品の出し入れに不都合を生じる。
【０００６】
そこで本発明は、上述したような欠点を無くして、狭い場所でも扉を開閉することができ、さらに開けた扉が収納品の出し入れに邪魔にならないような扉開閉装置を提供することを目的とする。
【０００７】
【課題を解決するための手段】
このため第１の発明は、収納室の扉を開閉する扉開閉装置において、一側をヒンジにより本体に対して回転可能に支持され上下にガイドを有する外扉体と、この外扉体の前記ガイドに沿って平行移動可能な内扉体とを備えたことを特徴とする。
【０００８】
また第２の発明は、第１の発明において、二つの前記外扉体及び二つの前記内扉体を備え、各内扉体を前記ガイドに沿って各外扉体と重なる位置に平行移動させた後に、前記各ヒンジにより各外扉体を回転させて開くようにしたことを特徴とする。
【０００９】
【発明の実施の形態】
以下、図１乃至図１１に基づき、本発明の実施の形態について説明する。先ず、図１は外扉体５及び内扉体６を閉じた状態の配膳車１の正面図であり、図２は内扉体６を開放した状態の配膳車１の正面図である。
【００１０】
この配膳車１はトレー１０を用いて食事を入院患者等へ提供できるようにしたものであり、箱状の本体２の下部に移動可能とするための走行用車輪であるキャスタ３を備えた台車４が取り付けられ、前記本体２の対向する幅広の二側面はトレーを出し入れする為の開放された開口部であり、開閉可能な扉開閉装置が備えられている。扉開閉装置の形態としては、各外扉体５が上下一対のヒンジ３０により本体２に対して回動可能に支持されていると共に、各内扉体６が上下一対のガイド（スライドレール）２０を介して各外扉体５に対して平行移動可能に支持されている。
【００１１】
また、前記本体２の収納室内には上下に区画を間仕切り、前記トレー１０を載置するための棚７が複数段設けられている。
【００１２】
次に、図３は外扉体５に内扉体６が取り付けられている状態を示す断面図であり、外扉体５の上部には断面が概ねコ字形状の上係止部材２７が固定されており、この上係止部材２７の後壁前面にガイド２０の外レール２４を取り付けている。また外扉体５の下部には断面が略Ｌ字形状の下係止部材２８が固定されており、この下係止部材２８上面にガイド２０の内レール２３を取り付けている。一方、前記内扉体６の上部にはＬ金具２９が固定されており、このＬ金具２９裏面にはガイド２０の内レール２３を取り付けると共に内扉体６の下部にはガイド２０の外レール２４を取り付け、両内レール２３と両外レール２４との間には複数のベアリング２５が設けられる。
【００１３】
この結果、各内扉体６はこの上下一対のガイド２０を介して平行移動が可能な状態で各外扉体５に支持されることとなる。なお、上記のガイド２０の取り付ける方向に関しては、上記に限定されるものでない。
【００１４】
図１に示すように、各内扉体６を各外扉体５から最大に引き出す事によって、配膳車１の本体２の開口部は両内扉体６及び両外扉体５によって閉鎖状態になる。また図２に示すように、図１の状態から各内扉体６を各外扉体５と重なる位置に引き込むことによって、配膳車１の本体２の開口部は両内扉体６が占有していた面積部分が概ね開放状態になる。
【００１５】
次に、外扉体５の取り付け状態を説明する。前記本体２の左端部及び右端部の上下に一対のヒンジ３０が固定されており、このヒンジ３０に各外扉体５の一側が取り付けられており、このヒンジ３０を支点として各外扉体５は回転可能になっている。
【００１６】
更に、図８乃至図１１にて、前記ヒンジ３０の詳細な構成について説明する。図８はヒンジ３０を嵌め合わせる前の状態を示しており、断面がコの字形状のヒンジ金具３１が各外扉体５の一側において外方に向けて固定され、一対のヒンジピン３２が前記ヒンジ金具３１に固定されている。一方、本体２側には断面がコの字形状のヒンジ金具３３が固定されており、このヒンジ金具３３には前記ヒンジピン３２が嵌合する一対の受け孔３４が設けてある。
【００１７】
従って、図８の状態から、各ヒンジピン３２が各受け孔３４の軸芯上方に来るように各外扉体５を移動させた後、各外扉体５を下方に降ろしてヒンジピン３２を受け孔３４に嵌合させることにより、ヒンジ金具３１とヒンジ金具３３は図９及び図１０の如くに結合される。
【００１８】
更に、図１１のヒンジ３０の斜視図で示されるように、このヒンジ金具３１とヒンジ金具３３の形状およびヒンジピン３２の位置は、ヒンジ３０が２７０°回転することが可能なように構成されている。その結果、図７の断面図で示しているように、このヒンジ３０によりヒンジピン３２を回転軸として外扉体５を２７０°回転させることが可能である。その結果、外扉体５を２７０°全回転させた時には、外扉体５は本体２の側面壁９に接した状態になり、周囲の邪魔にならない状態となる。
【００１９】
尚、前記外扉体５は主として外枠５Ａにて囲まれた透明な合成樹脂材料やガラス等の板体５Ｂとから構成されると共に、内扉体６も主として外枠６Ａにて囲まれた透明な合成樹脂材料やガラス等の板体６Ｂとから構成される
以上の構成により、以下動作について説明する。図４乃至図７は扉を開閉する方法を示す断面図であり、図４は各内扉体６を各外扉体５から最大に引き出すことによって、本体２の開口部が両内扉体６と両外扉体５によって閉鎖された状態を示し、図５は各内扉体６を各外扉体５と重なった位置に引き込むことによって、上記開口部のうち両内扉体６が占有していた面積部分が開放された状態を示し、図６は内扉体６を外扉体５に収納した状態で外扉体５を９０°回転させた状態を示し、図７は内扉体６を収納した外扉体５を２７０°回転させて上記開口部が全開となった状態を示している。
【００２０】
先ず、扉を開ける時の動作について説明する。図４の状態から内扉体６に設けられた取っ手８を持って施錠装置１１を開錠して、内扉体６をガイド２０を介して平行移動させて外扉体５と重なる位置に引き込む。この結果、図５の状態になり、それまで内扉体６が遮蔽していた部分が開放され、この部分にある棚７上に載置しているトレー１０を出し入れする事が可能な状態になる。
【００２１】
次に、前記取っ手８を手前に引くことによって、図６に示すように、外扉体５と内扉体６は一緒にヒンジ３０のヒンジピン３２を回転軸にして回転半径が小さい状態で手前に回転し始める。更に、この状態の外側扉５と内側扉６を回転させていくと、遂には図７に示すように２７０°回転して、本体２の側面壁９に接触した状態となる。従って、この開放状態では、通路における人の通行の邪魔となることはない。この状態で、開口部は全部が開放され、棚７上に載置している全てのトレー１０の出し入れが可能な状態が保持される。
【００２２】
次に、扉を閉める時は、前記と逆の手順で行う。即ち、一体的になっている内扉体６と外扉体５とを回転させて、図７の本体２の側面壁９の位置から、図６を経由して図５の閉鎖位置へと回転移動させる。次に、取っ手８を使って、内扉体６を外扉体５から引き出す方向に平行移動させる。そして、図４状態にまで平行移動させると、本体２の開口部は外扉体５と内扉体６によって閉鎖状態となる。
【００２３】
図５に示すように、もしも扉の巾がＬのままで回転させたのでは回転半径がＬであり、狭い通路では通路の壁に扉がぶつかってしまい、扉を全開する事ができないことがある。また、開いている扉が周囲の空間の邪魔になる。本発明においては、最初に内扉体６を外扉体５と重なる位置に引き込んで収納することにより、回転させる時には、扉の巾がＬの略半分、つまり約Ｌ／２になっているので、狭い通路でも支障なく扉を全開させる事ができると共に、周囲の邪魔にもならない。
【００２４】
なお、本発明は配膳車に限られるものではなく、種々の収納室を有するものに利用可能なことはいうまでもない。
【００２５】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００２６】
【発明の効果】
以上説明したように本発明は、狭い場所でも扉を開閉することができ、さらに開けた扉が収納品の出し入れに邪魔にならないような扉開閉装置を提供することができる。
【図面の簡単な説明】
【図１】外扉体及び内扉体を閉じた状態の配膳車の正面図である。
【図２】内扉体を開放した状態の配膳車の正面図である。
【図３】外扉体と内扉体の相対的な取り付け状態を示す断面図である。
【図４】開閉扉が全部閉じている状態を示す横断平面図である。
【図５】内扉体を平行移動させて外扉体に収納した状態を示す横断平面図である。
【図６】内扉体を外扉体に収納した状態で外扉体を９０°回転させた状態を示す断面図である。
【図７】内扉体を外扉体に収納した状態で外扉体を２７０°回転させた状態を示す断面図である。
【図８】ヒンジを嵌め合わせる前の状態を示す図である。
【図９】ヒンジを嵌め合わせた状態を示す正面図である。
【図１０】ヒンジを嵌め合わせた状態を示す平面図である。
【図１１】ヒンジを嵌め合わせた状態を示す斜視図である。
【符号の説明】
１　　　　　　配膳車
２　　　　　　本体
５　　　　　　外扉体
６　　　　　　内扉体
８　　　　　　取っ手
２０　　　　　ガイド
２３　　　　　内レール
２４　　　　　外レール
３０　　　　　ヒンジ
【図１】
2004052387.tif 000003
【図２】
2004052387.tif 000004
【図３】
2004052387.tif 000005
【図４】
2004052387.tif 000006
【図５】
2004052387.tif 000007
【図６】
2004052387.tif 000008
【図７】
2004052387.tif 000009
【図８】
2004052387.tif 000010
【図９】
2004052387.tif 000011
【図１０】
2004052387.tif 000012
【図１１】
2004052387.tif 000013